(57)【要約】      （修正有）【課題】マニキュア液を塗る際に、支障なく細かな塗布作業ができるように、作業をする指先をも覆うマスキング材の提供。【解決手段】マニキュア用マスキング材として、薄いシート部材からなり、少なくとも、想定される爪の基端より指の根元側の指部分から指の先端までを覆うことが可能であり、少なくとも想定される爪が存する指の幅を有するマスキング材本体１０と、前記マスキング材本体に設けられる前記爪を表出させる前記爪の幅よりもやや小さな幅を有する穴である爪出し口２０と、前記マスキング材本体の指に接触する面であって、すくなくとも爪に隣接する爪側の指部分に接触する部分から前記爪出し口の外縁に至る面に設けられる粘着層であるマスキング粘着層３０と、前記マスキング材本体の指の先端を覆う部分を固定する先端固定手段とを設ける。【選択図】図２
0003112229.tif 000002
【実用新案登録請求の範囲】
【請求項１】
薄いシート部材からなり、少なくとも、想定される爪の基端より指の根元側の指部分から指の先端までを覆うことが可能であり、少なくとも想定される爪が存する指の幅を有するマスキング材本体と、
前記マスキング材本体に設けられる前記爪を表出させる前記爪の幅よりもやや小さな幅を有する穴である爪出し口と、
前記マスキング材本体の指に接触する面であって、少なくとも爪に隣接する爪側の指部分に接触する部分から前記爪出し口の外縁に至る面に設けられる粘着層であるマスキング粘着層と、
前記マスキング材本体の指の先端を覆う部分を固定する先端固定手段と
を有するマニキュア用マスキング材。
【請求項２】
前記マスキング材本体は、指の先端に嵌る袋状に形成される請求項１に記載のマニキュア用マスキング材。
【請求項３】
前記マスキング材本体は、指の長手方向に沿う帯状に形成され、前記先端固定手段は、前記指先の先端を覆う部分及び／又は指の腹を覆う部分の指に接触する面に設けられる粘着層である固定粘着層により形成される請求項１に記載のマニキュア用マスキング材。
【考案の詳細な説明】
【技術分野】
【０００１】
本考案は爪にマニキュア液を塗る際に、爪ぎわの指を覆うマスキング材に関する。
【背景技術】
【０００２】
マニキュア液を指に塗る際に、爪からマニキュア液がはみ出し指部分にマニキュア液がついてしまうことがある。これを防ぐために、下記の特許文献には、爪ぎわの指部分をマスキングし、指部分にマニキュア液が付くことを防ぐ技術が開示されている。
【特許文献１】実用新案登録第２５２５７２４号公報
【特許文献２】実開平５−３９４０５号公報
【特許文献３】特開２００３−７９４２２号公報
【考案の開示】
【考案が解決しようとする課題】
【０００３】
ところで、マニキュア液を塗る際には、たとえマスキング材で覆っていても爪ぎわ部分は、爪ぎわの境界に沿って刷毛を塗ることがマニキュアをきれいに仕上げるためには望ましい。マニキュア液を塗る際には瓶の蓋に設けられた刷毛を用いることが通常であり、この刷毛は、瓶の底のマニキュア液を使用できるように柄の長さが３〜６ｃｍ程度ある。しかし、このような長い柄では、蓋部分を持ってマニキュア液を塗ると刷毛先を微妙にコントロールすることが難しい。このため、爪と指との境界部分を塗る際には、多くの場合、刷毛の根元部分を持って作業する場合が多い。すると、作業をする指先には、マニキュア液が付いてしまうことになり、作業後、除光液を用いてマニキュア液を拭き取ることになる。
一方、マスキング材を指先に装着する場合、作業をする指先部分もマスキング材で覆えば指先にマニキュア液が付くことを防ぐことができると考えられる。しかし、上記特許文献１、２に記載の考案は、指の先端部分が表出する構造であるためにマニキュア液が付いてしまい。また、特許文献３に記載の考案は指先部分を覆っているが、厚く硬い部材を用いるために細かな作業をすることができない。
本考案は、このような問題に鑑みて、マニキュア液を塗る際に用いるマスキング材において、支障なく細かな塗布作業ができるように、作業をする指先をも覆うことを課題とする。
【課題を解決するための手段】
【０００４】
上記課題を解決するために、本考案は次のような構成を有する。
請求項１に記載の考案は、薄いシート部材からなり、少なくとも、想定される爪の基端より指の根元側の指部分から指の先端までを覆うことが可能であり、少なくとも想定される爪が存する指の幅を有するマスキング材本体と、前記マスキング材本体に設けられる前記爪を表出させる前記爪の幅よりもやや小さな幅を有する穴である爪出し口と、前記マスキング材本体の指に接触する面であって、すくなくとも爪に隣接する爪側の指部分に接触する部分から前記爪出し口の外縁に至る面に設けられる粘着層であるマスキング粘着層と、  前記マスキング材本体の指の先端を覆う部分を固定する先端固定手段とを有するマニキュア用マスキング材である。
なお、ここでの「指の先端」とは爪と指が接合している部分と接合していない部分の境界の最も指の付け根側の位置から指先側に存する指の腹において爪の真裏に位置する部分を意味するものとする。また、ここでの「指の幅」とは爪が存在する指先部分の最も太い部分の幅を意味するものとする。さらに、「爪に隣接する指部分」とは、少なくとも爪と指との境界から１ｍｍの幅以内の部分を意味するものとする。
このような構成を有することで、爪出し口から爪を出してマスキング粘着層を爪に隣接する指部分に貼りつけるとともに、指先を覆う部分を先端固定手段により固定して使用する。なお、爪出し口は爪幅よりもやや小さくしてあるので、最初はマスキング粘着層を爪にかかるようにし、爪出し口の縁部を押し広げるようにして爪と指との境界位置に爪出し口の縁部が位置するようにする。
請求項２に記載の考案は、請求項１のマニキュア用マスキング材において、前記マスキング材本体は、指の先端に嵌る袋状に形成されるものである。
請求項３に記載の考案は、請求項１のマニキュア用マスキング材において、前記マスキング材本体は、指の長手方向に沿う帯状に形成され、前記先端固定手段は、前記指先の先端を覆う部分及び／又は指の腹を覆う部分の指に接触する面に設けられる粘着層である固定粘着層により形成される請求項１に記載のマニキュア用マスキング材。
【考案の効果】
【０００５】
請求項１に記載の考案は、マニキュア液を塗る際に爪に隣接する指部分をマスキングすることにより、爪に隣接する部分にマニキュア液が付着することを防ぐことができることに加えて、マニキュア液を塗る作業を行う指先もマスキング材本体により覆われるので、この作業をする指先部分にもマニキュア液が付着することを防ぐことができる。
請求項２に記載の考案は、マスキング材本体を指先に嵌る袋状に形成することで、マスキング材本体全体を簡易に指先に固定することができ粘着層を爪に隣接部分のみにすることができる。
請求項３に記載の考案は、マスキング材本体を帯状とすることで複数を収納する際に小さく重ねることができるので、収納性、携帯性を高くすることができる。
【考案を実施するための最良の形態】
【０００６】
以下、本考案の実施形態について、図面を参照しながら説明する。
（実施形態１）
図１に、実施形態１に係るマニキュア用マスキング材Ｘの斜視図を示す。マニキュア用マスキング材Ｘはマスキング材本体１０と、爪出し口２０と、マスキング粘着層３０とから構成される。
マスキング材本体１０は、薄いシートを想定される人の指先に嵌る袋状に形成したものである。マスキング材本体１０はここでは、伸縮性のある合成樹脂性の不織布により形成される。また、想定される人の指先は、ここでは２０歳から３０歳の女性の平均的な人差し指であるものとする。なお、マスキング材本体１０はこのほかに小指用、親指用の大きさのものが存する。マスキング材本体１０は指先も覆うものであり、この指先を覆う部分を固定する側縁部から爪側へ至る側面部分は先端固定手段を構成する。
爪出し口２０は、想定される人の指先にマスキング材本体１０を装着した際に、爪部分が表出するとともに、爪の幅よりもやや小さな幅を有するマスキング材本体１０に設けられる穴である。なお、マスキング材１０は薄いシートにより形成されているので、マスキング材本体１０を指に装着した際における爪出し口２０の位置は多少移動することができる。
マスキング粘着層３０は、マスキング材本体１０の前記爪出し口２０の外縁からの爪に隣接する爪側の指部分に接触する部分に至る面、即ち、爪出し口２０の両側縁と基端側の縁に渡ってU字状に設けられる、簡単に剥がれる比較的弱い粘着材により形成される粘着層である。ここでは、粘着層は幅が２ｍｍに形成されている。
【０００７】
次に、以上のような構成を有するマニキュア用マスキング材Ｘの使用方法について説明する。使用に際しては、マニキュア用マスキング材Ｘとして、人差し指用を６個、小指用と親指用をそれぞれ２個用意する。ここでは、人差し指用を人差し指、中指、薬指に使用するが、中指、薬指の各指専用の大きさのものを用意してもよい。使用者は、図２の側面図に示すように、一つの指の先端にマニキュア用マスキング材Ｘのマスキング材本体１０を爪が爪出し口２０から出るように装着する。この際、爪出し口２０の爪側の外縁が、図３の想像線に示すように、爪の上面に位置するように爪出し口２０の位置を調整する。そして、この状態で、装着しているのとは反対側の手の爪で爪出し口２０の外縁を図３の実線に示すように爪と指部分との境界位置に押し出し移動させる。この際、マスキング粘着層３０が爪に貼り付くが、粘着力が弱いので、爪により押し出すことで移動させることができる。また、マスキング材本体１０は薄いシートにより形成されているので、多少の皺が発生することがあっても、境界上に爪出し口２０の外縁を爪と指部分の境界に沿わせることができ、マスキング粘着層３０によりこの位置で固定することができる。この作業を全ての指先について行った後に、マニキュア液から刷毛を取り出し、適宜刷毛の付け根近傍を持ちながらマニキュアを各爪へと塗布していく。その後、刷毛を収納し、マニキュア液が乾くのを待ってマニキュア用マスキング材Ｘを指先からはずして作業が完了する。
【０００８】
（実施形態２）
図４に実施形態２に係るマニキュア用マスキング材Ｙの正面図を示し、図５に図４のＡ−Ａ拡大断面図を示す。マニキュア用マスキング材Ｙはマスキング材本体５０と、爪出し口６０と、マスキング粘着層７０、固定粘着層８０とから構成される。
マスキング材本体５０は、薄いシートを帯状に形成したものである。ここでは、帯の幅を１ｃｍ、長さを３ｃｍに設定している。マスキング材本体５０はここでは、伸縮性のある合成樹脂性の不織布により形成される。
爪出し口６０は、想定される人の爪の指と接合されている部分よりやや小さな、マスキング材本体５０に設けられる穴である。なお、マスキング材５０は薄いシートにより帯状に形成されているので、マスキング材本体５０を指に装着した際における爪出し口６０の位置は適宜移動することができる
マスキング粘着層７０は、マスキング材５０本体の前記爪出し口６０の外縁から所定幅をもって設けられる、簡単に剥がれる比較的弱い粘着材により形成される粘着層である。ここでは、粘着層は幅が２ｍｍに形成されている。
固定粘着層８０は、マスキング材Ｙの裏面の両端部に設けられるマスキング粘着層７０と同じ粘着材により形成される粘着層である。なお、ここでは、固定粘着層８０とマスキング粘着層７０とを分離しているが、一体にしてもよい。また、マスキング材Ｙの裏面には、全面に渡って、固定粘着層８０およびマスキング粘着層７０を覆う剥離紙８１が貼りつけてある。
【０００９】
次に、以上のような構成を有するマニキュア用マスキング材Ｙの使用方法について説明する。使用に際しては、マニキュア用マスキング材Ｙは、人差し指用を６個、小指用と親指用をそれぞれ２個用意する。これらは、爪の大きさに応じて、爪出し口６０の大きさが異なる。ここでは、人差し指用を人差し指、中指、薬指に使用するが、中指、薬指の各指専用の大きさのものを用意してもよい。使用者は、マニキュア用マスキング材Ｙの剥離紙８１を剥がし、図６の側面図に示すように、一つの指の先端にマスキング材５０を爪が爪出し口６０から出るようにし、指の先端で折り返すようにして装着して、固定粘着層８０を指に粘着させて固定する。この際、爪出し口６０の爪側の外縁が、爪の上面に位置するように爪出し口６０の位置を調整する。そして、この状態で、装着しているのとは反対側の手の爪で爪出し口６０の外縁を爪と指部分との境界に一致するように押し出し移動させる。この際、やはり、マスキング粘着層６０が爪に貼り付くが、粘着力が弱いので、爪により押し出すことで移動させることができる。また、マスキング材本体５０は薄いシートにより形成されているので、多少の皺が発生することがあっても、境界上に爪出し口６０の外縁を爪と指部分の境界に沿わせることができ、マスキング粘着層７０によりこの位置で固定することができる。この作業を全ての指先について行った後に、マニキュア液から刷毛を取り出し、適宜刷毛の付け根近傍を持ちながらマニキュアを各爪へと塗布していく。その後、刷毛を収納し、マニキュア液が乾くのを待ってマニキュア用マスキング材Ｙを指先からはずして作業が完了する。
。
【図面の簡単な説明】
【００１０】
【図１】実施形態１に係るマニキュア用マスキング材を示す斜視図である。
【図２】実施形態１に係るマニキュア用マスキング材を指先に装着した状態を示す側面図である。
【図３】実施形態１に係るマニキュア用マスキング材を指先に装着した状態を示す正面図である。
【図４】実施形態２に係るマニキュア用マスキング材を示す正面図である。
【図５】図４のＡ−Ａ断面図である。
【図６】実施形態２に係るマニキュア用マスキング材を指先に装着した状態を示す側面図である。
【符号の説明】
【００１１】
Ｘ、Ｙ    マニキュア用マスキング材
１０、５０  マスキング材本体
２０、６０  爪出し口
３０、７０  マスキング粘着層
８０        固定粘着層
【図１】
0003112229.tif 000003
【図２】
0003112229.tif 000004
【図３】
0003112229.tif 000005
【図４】
0003112229.tif 000006
【図５】
0003112229.tif 000007
【図６】
0003112229.tif 000008